(57)【要約】【課題】予期しない装置本体の傾動に起因する不都合を解消し得るプロジェクタを提供する。【解決手段】画像表示用の投射光Ｌ２を投射可能な光学エンジン３が配設された装置本体１０と、装置本体１０の傾動時における装置本体１０の角速度および傾斜角度の少なくとも一方が基準値以上のときに投射光Ｌ２の投射を停止させる投射停止処理を実行する制御部７とを備えている。この場合、投射光Ｌ２を遮蔽可能に構成されたシャッタ４を備えて装置本体１０を構成し、制御部７が、投射停止処理として、シャッタ４を制御して投射光Ｌ２を遮蔽させる構成を採用することができる。【選択図】図１
2007219225.tif 000002
【特許請求の範囲】
【請求項１】
画像表示用の投射光を投射可能な投射部が配設された装置本体と、前記装置本体の傾動時における当該装置本体の角速度および傾斜角度の少なくとも一方が基準値以上のときに前記投射光の投射を停止させる投射停止処理を実行する制御部とを備えているプロジェクタ。
【請求項２】
前記装置本体は、前記投射光を遮蔽可能に構成されたシャッタを備え、
前記制御部は、前記投射停止処理として、前記シャッタを制御して前記投射光を遮蔽させる請求項１記載のプロジェクタ。
【請求項３】
前記投射部は、前記投射光用の光を発光する光源部を備え、
前記制御部は、前記投射停止処理として、前記光源部を制御して前記光の発光を停止させる請求項１記載のプロジェクタ。
【請求項４】
画像表示用の投射光を投射可能な投射部が配設された装置本体と、前記装置本体の傾動時における当該装置本体の角速度および傾斜角度の少なくとも一方が基準値以上のときに前記投射光の光量を低下させる光量低下処理を実行する制御部とを備えているプロジェクタ。
【請求項５】
前記投射部は、前記投射光用の光を発光する光源部を備え、
前記制御部は、前記光量低下処理として、前記光源部を制御して当該光源部の輝度を低下させる請求項４記載のプロジェクタ。
【請求項６】
前記投射部は、前記投射光用の光を発光する光源部と、前記光源部からの前記光を前記投射光に光変調する光変調部とを備え、
前記制御部は、前記光量低下処理として、前記光変調部を制御して前記光源部からの前記光を暗色の前記投射光に光変調させる請求項４記載のプロジェクタ。
【発明の詳細な説明】
【技術分野】
【０００１】
本発明は、画像表示用の投射光を投射可能な投射部が配設された装置本体を備えたプロジェクタに関するものである。
【背景技術】
【０００２】
この種のプロジェクタとして、特開２００１−７５１７０号公報に開示されたプロジェクタ（カラープロジェクタ）が知られている。このプロジェクタでは、ランプユニットや投影レンズなどで構成される投影手段によってカラー画像がスクリーンに投影される。また、このプロジェクタには、カラー画像をスクリーンに投影させるための投射光（放射光）が通過する空間領域に隣接する空間のうちでプロジェクタから所定の距離までの空間（局所的な空間）を検出対象領域として、その検出対象領域内における物体の有無を検出する検出装置が設けられている。この場合、このプロジェクタでは、検出装置が検出対象領域内において物体を検出したときに、ランプユニットの電源がオフされることによって投射光の投射が停止される。このため、このプロジェクタでは、例えば、人が投影レンズを覗き込もうとしたときには、検出装置が検出対象領域内に侵入した人を検出することによって投射光の投射が停止されるため、投影レンズを覗き込んだ人の眼が投射光によって痛められる事態を回避することが可能となっている。
【特許文献１】特開２００１−７５１７０号公報（第１−４頁、第２−３図）
【発明の開示】
【発明が解決しようとする課題】
【０００３】
ところが、この従来のプロジェクタには、以下の問題点がある。すなわち、このプロジェクタでは、局所的な空間である検出対象領域内において物体が検出されたときにのみ、投射光の投射が停止される。このため、このプロジェクタでは、例えば、スクリーンに向けて投射光を投射している状態のプロジェクタに物が衝突したり、プロジェクタが載置されている載置台が大きく揺れたりしたときには、プロジェクタが急激に傾動させられたり、大きく傾動させられて、本来投射すべきスクリーン以外の位置に向けて投射光が投射される。この場合、例えば、その投射位置に観賞者が存在していたとしても、その位置が検出対象領域外であるとき、つまりその位置が検出対象領域として規定された所定の距離よりもプロジェクタから離間しているときには、検出装置による観賞者の検出が行われずに、投射光の投射が継続されることとなる。このため、このプロジェクタでは、このような予期しないプロジェクタの傾動に起因するスクリーン以外の位置への投射光の投射によって、観賞者等に対して不快感を与えるという不都合が生じるおそれがある。
【０００４】
本発明は、かかる問題点に鑑みてなされたものであり、予期しない装置本体の傾動に起因する不都合を解消し得るプロジェクタを提供することを主目的とする。
【課題を解決するための手段】
【０００５】
上記目的を達成すべく本発明に係るプロジェクタは、画像表示用の投射光を投射可能な投射部が配設された装置本体と、前記装置本体の傾動時における当該装置本体の角速度および傾斜角度の少なくとも一方が基準値以上のときに前記投射光の投射を停止させる投射停止処理を実行する制御部とを備えている。
【０００６】
このプロジェクタでは、装置本体の傾動時における装置本体の角速度および傾斜角度の少なくとも一方が基準値以上のときに、制御部が投射光の投射を停止させる。このため、例えば、スクリーンに向けて投射光を投射している状態の装置本体（プロジェクタ）に対する物の衝突や、装置本体が載置されている載置台の揺れによって装置本体が急激に傾動させられたり大きく傾動させられたりしたとしても、スクリーン以外の場所に向けて投射光が投射される以前に投射光の投射を確実に停止させることができる。したがって、このプロジェクタによれば、上記のような予期しない装置本体の傾動に起因して、例えば、スクリーン以外の位置に存在する観賞者等に対して投射光が投射されるような不都合を確実に解消することができる。
【０００７】
また、本発明に係るプロジェクタは、上記のプロジェクタにおいて、前記装置本体は、前記投射光を遮蔽可能に構成されたシャッタを備え、前記制御部は、前記投射停止処理として、前記シャッタを制御して前記投射光を遮蔽させる。
【０００８】
このプロジェクタでは、制御部が投射停止処理としてシャッタを制御して投射光を遮蔽させる。この構成によれば、光源部の点灯を継続させた状態で投射光の投射を停止させることができる。このため、投射光の投射を再開させるときに光源部の再点灯処理を行うことなく、投射光の投射（画像の表示）を即座に再開させることができる。
【０００９】
また、本発明に係るプロジェクタは、上記のプロジェクタにおいて、前記投射部は、前記投射光用の光を発光する光源部を備え、前記制御部は、前記投射停止処理として、前記光源部を制御して前記光の発光を停止させる。
【００１０】
このプロジェクタでは、制御部が投射停止処理として光源部を制御して光の発光を停止させる。この構成によれば、光源部に対する電源供給制御等の簡易な制御で投射光の投射を確実に停止させることができる結果、プロジェクタを簡易に構成することができる。
【００１１】
また、本発明に係るプロジェクタは、画像表示用の投射光を投射可能な投射部が配設された装置本体と、前記装置本体の傾動時における当該装置本体の角速度および傾斜角度の少なくとも一方が基準値以上のときに前記投射光の光量を低下させる光量低下処理を実行する制御部とを備えている。
【００１２】
このプロジェクタでは、装置本体の傾動時における装置本体の角速度および傾斜角度の少なくとも一方が基準値以上のときに、制御部が投射光の光量を低下させる。このため、例えば、スクリーンに向けて投射光を投射している状態の装置本体（プロジェクタ）に対する物の衝突や、装置本体が載置されている載置台の揺れによって装置本体が急激に傾動させられたり大きく傾動させられたりしたとしても、スクリーン以外の場所に向けて大光量の投射光が投射される以前に投射光の光量を低下させることができる。したがって、このプロジェクタによれば、上記のような予期しない装置本体の傾動に起因して、例えば、スクリーン以外の位置に存在する観賞者等に対して大光量の投射光が投射されるような不都合を確実に解消することができる。
【００１３】
また、本発明に係るプロジェクタは、上記のプロジェクタにおいて、前記投射部は、前記投射光用の光を発光する光源部を備え、前記制御部は、前記光量低下処理として、前記光源部を制御して当該光源部の輝度を低下させる。
【００１４】
このプロジェクタでは、制御部が光量低下処理として光源部を制御して光源部の輝度を低下させる。この構成によれば、光源部に対する電源供給制御等の簡易な制御で投射光の光量を確実に低下させることができる結果、プロジェクタを簡易に構成することができる。また、この構成によれば、光量低下処理時における光源部の消費電力を低減させることができる。
【００１５】
また、本発明に係るプロジェクタは、上記のプロジェクタにおいて、前記投射部は、前記投射光用の光を発光する光源部と、前記光源部からの前記光を前記投射光に光変調する光変調部とを備え、前記制御部は、前記光量低下処理として、前記光変調部を制御して前記光源部からの前記光を暗色の前記投射光に光変調させる。
【００１６】
このプロジェクタでは、制御部が光量低下処理として光変調部を制御して光源部からの光を暗色の投射光に光変調させる。この構成によれば、光変調部に対して光量低下用のデータ（例えば暗色のデータ）を出力する等の簡易な制御で投射光の光量を確実に低下させることができる結果、プロジェクタを簡易に構成することができる。また、光量低下用のデータから表示用画像データに切り替えるだけで、投射光の光量を光量低下処理前の光量に復元させることができるため、画像の表示を即座に再開させることができる。
【発明を実施するための最良の形態】
【００１７】
以下、添付図面を参照して、本発明に係るプロジェクタの最良の形態について説明する。最初に、プロジェクタ１ａの構成について説明する。図１に示すプロジェクタ１ａは、画像処理部２、光学エンジン３、シャッタ４、操作部５、角速度センサ６ａ、傾きセンサ６ｂ、制御部７および記憶部８を備えて、例えば同図に示すスクリーン１００に対して画像表示用の投射光Ｌ２を投射することにより、各種の画像を表示可能に構成されている。この場合、画像処理部２、光学エンジン３、シャッタ４、角速度センサ６ａ、傾きセンサ６ｂ、制御部７および記憶部８は、装置本体１０に配設されている。
【００１８】
画像処理部２は、制御部７の制御に従い、ＤＶＤプレーヤおよびビデオデッキ等の再生装置や、パーソナルコンピュータなど（以下、これらを「外部装置１１０」ともいう）から出力された画像信号Ｓ１に基づいて表示用画像データＤ１を生成して光学エンジン３の光変調素子３２に出力する。光学エンジン３は、本発明における投射部に相当し、光源部３１、光変調素子３２および投射レンズ３３を備えて構成されている。光源部３１は、一例として、メタルハライドランプや高圧水銀ランプを備えて構成されて、白色光（本発明における投射光用の光）Ｌ１を発光する。光変調素子３２は、本発明における光変調部に相当し、一例として、液晶ライトバルブで構成されて、光源部３１からの白色光Ｌ１を表示用画像データＤ１に基づいて投射光Ｌ２に光変調する。投射レンズ３３は、投射光Ｌ２を拡大する機能を有している。
【００１９】
シャッタ４は、投射光Ｌ２を遮蔽可能に構成されると共に、図２に示すように、投射レンズ３３の開口部側（投射光Ｌ２の投射方向側）に配設されている。この場合、シャッタ４は、制御部７の制御に従って作動することにより、投射レンズ３３の開口部側を閉塞して投射光Ｌ２を遮蔽すると共に、投射レンズ３３の開口部側を開放して投射光Ｌ２の遮蔽を解除する（投射光Ｌ２を通過させる）。操作部５は、例えば、装置本体１０とは別体に形成されると共に、後述する角速度基準値Ｓωおよび傾斜角度基準値Ｓθ（以下、区別しないときには「基準値Ｓ」ともいう）を入力するための入力キー、後述する自動停止モードへの切り替えを指示するためのモード切替キー、および後述する再開処理を実行させるための再開キーなどの複数の操作キーが配列されて構成されている。また、操作部５は、各操作キーが操作されたときに、その操作キーに対応する操作信号Ｓ４を赤外線通信等の無線通信によって制御部７に出力（送信）する。角速度センサ６ａは、一例としてジャイロスコープを備えて構成されて、装置本体１０の傾動時における角速度ω（図４参照）を検出してセンサ信号Ｓ２を出力する。傾きセンサ６ｂは、一例として静電容量型の傾きセンサであって、水平面に対する装置本体１０の傾斜角度（以下、この傾斜角度を「検出傾斜角度θｄ（同図参照）」ともいう）を検出してセンサ信号Ｓ３を出力する。
【００２０】
制御部７は、操作部５から出力される操作信号Ｓ４に従い、装置本体１０に配設された各構成要素を統括的に制御する。また、制御部７は、操作部５の操作によって基準値Ｓが入力されたときには、操作部５から出力される操作信号Ｓ４に従って基準値Ｓを示す基準値データＤ２を記憶部８に記憶させる。また、制御部７は、操作部５からモード切替キーに対応する操作信号Ｓ４が出力されたときには、図５に示す投射停止処理５０を実行する。この場合、制御部７は、角速度センサ６ａから出力されたセンサ信号Ｓ２の示す角速度ωが角速度基準値Ｓω以上のときに、シャッタ４を制御して投射レンズ３３の開口部側を閉塞させることによって投射光Ｌ２を遮蔽させて投射光Ｌ２の投射を停止させる。また、制御部７は、傾きセンサ６ｂから出力されるセンサ信号Ｓ３に基づき、モード切替キーに対応する操作信号Ｓ４が出力された時点における装置本体１０の傾斜角度（以下、この傾斜角度を「初期傾斜角度θｆ（図４参照）」ともいう）を示す初期傾斜角度データＤ３を記憶部８に記憶させる。
【００２１】
また、制御部７は、センサ信号Ｓ３の示す検出傾斜角度θｄから初期傾斜角度θｆを差し引いた角度、つまり操作部５のモード切替キーが操作された時点における装置本体１０の傾斜状態を基準として、その状態から傾動によって装置本体１０が実質的に傾斜した角度（この場合、この角度が本発明における傾斜角度に相当する：以下、この角度を「実質傾斜角度θｅ（図４参照）」ともいう）が傾斜角度基準値Ｓθ以上のときにも、同様にして投射光Ｌ２を遮蔽させて投射光Ｌ２の投射を停止させる。つまり、制御部７は、角速度ωおよび実質傾斜角度θｅの少なくとも一方が基準値Ｓ以上のときに投射光Ｌ２の投射を停止させる。さらに、制御部７は、投射光Ｌ２の投射の停止時において操作部５から再開キーに対応する操作信号Ｓ４が出力されたときには、シャッタ４を制御して投射光Ｌ２の遮蔽を解除させることにより、投射光Ｌ２の投射を再開させる再開処理を実行する。記憶部８は、上記した基準値データＤ２や初期傾斜角度データＤ３を記憶する。
【００２２】
次に、プロジェクタ１ａの全体的な動作について、図面を参照して説明する。なお、初期状態（電源切断状態）においては、図２に実線で示すように、シャッタ４が投射レンズ３３の開口部側を閉塞しているものとする。このプロジェクタ１ａでは、電源が投入された際に、制御部７が、光学エンジン３に電源を供給させて光源部３１を点灯させると共に、同図に破線で示すように、シャッタ４を制御して投射レンズ３３の開口部側を開放させる。次いで、制御部７は、画像処理部２を制御することにより、外部装置１１０から出力されている画像信号Ｓ１に基づく表示用画像データＤ１を光変調素子３２に出力させる。続いて、光変調素子３２が、光源部３１からの白色光Ｌ１を表示用画像データＤ１に基づいて投射光Ｌ２に光変調する。この際に、投射光Ｌ２が、投射レンズ３３およびシャッタ４を通過して、図３に示すように、プロジェクタ１ａの前方に向けて拡大されつつ投射されることにより、表示用画像データＤ１に基づく画像がスクリーン１００に表示される。
【００２３】
ここで、このプロジェクタ１ａでは、装置本体１０に対する物の衝突や、装置本体１０が載置されている載置台の揺れ等の不測の事態によって装置本体が傾動させられたときに、投射光Ｌ２の投射を自動的に停止する投射停止処理を実行させることが可能となっている。この投射停止処理を実行させる際には、まず、操作部５の入力キーを操作して上記した角速度基準値Ｓωおよび傾斜角度基準値Ｓθを入力（設定）する。この場合、角速度基準値Ｓωとして、一例として、スクリーン１００に対する投射光Ｌ２の投射位置を調整する作業のように、プロジェクタ１ａを徐々に傾動させるときの一般的な角速度ωよりも大きく、かつプロジェクタ１ａに物が衝突したときのように、プロジェクタ１ａが急激に傾動するときの角速度ωよりも小さい値（例えば１．３３ｒａｄ／ｓ）に設定する。また、傾斜角度基準値Ｓθとして、一例として、投射光Ｌ２がスクリーン１００から外れるような値（例えば４５度程度）に設定する。
【００２４】
この際に、操作部５が入力キーの操作に応じた操作信号Ｓ４を出力し、制御部７が操作信号Ｓ４に従って各基準値Ｓを示す基準値データＤ２を記憶部８に記憶させる。次いで、操作部５のモード切替キーを操作する。この際に、制御部７は、操作部５から出力されたモード切替キーに対応する操作信号Ｓ４に従い、図５に示す投射停止処理５０を実行する。この投射停止処理５０では、制御部７は、角速度センサ６ａおよび傾きセンサ６ｂを制御して、センサ信号Ｓ２，Ｓ３の出力を開始させると共に（ステップ５１）、センサ信号Ｓ３に基づいてセンサ信号Ｓ３の出力開始時点における装置本体１０の初期傾斜角度θｆを示す初期傾斜角度データＤ３を生成して（ステップ５２）、記憶部８に記憶させる。次いで、制御部７は、センサ信号Ｓ２の示す角速度ωと、記憶部８に記憶されている基準値データＤ２の示す基準値Ｓ（角速度基準値Ｓω）とを比較する。また、制御部７は、記憶部８に記憶されている初期傾斜角度データＤ３の示す初期傾斜角度θｆをセンサ信号Ｓ３の示す検出傾斜角度θｄから差し引いて実質傾斜角度θｅを算出すると共に、実質傾斜角度θｅと基準値データＤ２の示す基準値Ｓ（傾斜角度基準値Ｓθ）とを比較する（ステップ５３）。続いて、制御部７は、角速度ωおよび実質傾斜角度θｅの少なくとも一方が基準値Ｓ以上であるか否かを判別する。（ステップ５４）。
【００２５】
この場合、例えば、スクリーン１００に対する投射光Ｌ２の投射位置を調整するために装置本体１０（プロジェクタ１ａ）の傾斜角度を調整したときに、その調整によるプロジェクタ１ａの角速度ωおよび実質傾斜角度θｅのいずれもが基準値Ｓ未満のときには、制御部７は、ステップ５４においてその旨を判別して、ステップ５３〜５４を繰り返して実行する。一方、例えば、傾斜角度の調整が終了したプロジェクタ１ａ（装置本体１０）に対する物の衝突や、装置本体１０が載置されている載置台の揺れによって装置本体１０が急激に傾動させられたり大きく傾斜させられたりして、角速度ωおよび実質傾斜角度θｅの少なくとも一方が基準値Ｓ以上となったときには、制御部７は、ステップ５４においてその旨を判別する。この際には、制御部７は、シャッタ４を制御して、図２に実線で示すように、投射レンズ３３の開口部側を閉塞させる（ステップ５５）。これにより、光源部３１の点灯を継続させた状態でシャッタ４によって投射光Ｌ２が遮蔽されて、プロジェクタ１ａからの投射光Ｌ２の投射が停止される。この場合、装置本体１０が急激に傾動させられたり、大きく傾動させられたりしたとしてもスクリーン１００以外の場所に向けて投射光が投射される以前に投射光の投射が停止されるため、スクリーン１００以外の位置に存在する観賞者等に対して投射光が投射されるような不都合が確実に解消される。
【００２６】
次に、投射光Ｌ２の投射を再開させるときには、操作部５の再開キーを操作する。この際に、制御部７は、操作部５から出力された再開キーに対応する操作信号Ｓ４に従い、投射光Ｌ２の投射を再開させる再開処理を実行する。この再開処理では、制御部７は、シャッタ４を制御して投射レンズ３３の開口部側を開放させる。この場合、上記した投射停止処理５０において、光源部３１の点灯を継続させた状態で投射光Ｌ２の投射が停止されているため、シャッタ４による投射レンズ３３の開口部側の開放によって投射光Ｌ２の投射（画像の表示）が即座に再開される。
【００２７】
このように、このプロジェクタ１ａによれば、傾動時における装置本体１０の角速度ωおよび実質傾斜角度θｅの少なくとも一方が基準値Ｓ以上のときに、制御部７が投射光Ｌ２の投射を停止させることにより、例えば、スクリーン１００に向けて投射光Ｌ２を投射している状態の装置本体１０（プロジェクタ１ａ）に対する物の衝突や、装置本体１０が載置されている載置台の揺れによって装置本体１０が急激に傾動させられたり大きく傾動させられたりしたとしても、スクリーン１００以外の場所に向けて投射光Ｌ２が投射される以前に投射光Ｌ２の投射を確実に停止させることができる。したがって、このプロジェクタ１ａによれば、上記のような予期しない装置本体１０の傾動に起因して、例えば、スクリーン１００以外の位置に存在する観賞者等に対して投射光Ｌ２が投射されるような不都合を確実に解消することができる。
【００２８】
また、このプロジェクタ１ａによれば、制御部７が投射停止処理としてシャッタ４を制御して投射光Ｌ２を遮蔽させることにより、光源部３１の点灯を継続させた状態で投射光Ｌ２の投射を停止させることができる。このため、投射光Ｌ２の投射を再開させるときに光源部３１の再点灯処理を行うことなく、投射光Ｌ２の投射（画像の表示）を即座に再開させることができる。
【００２９】
なお、本発明は、上記の構成に限定されない。例えば、制御部７が投射停止処理としてシャッタ４を制御して投射光Ｌ２を遮蔽させる構成について説明したが、本発明はこれに限定されない。例えば、制御部７が投射停止処理として白色光Ｌ１の発光を停止させる構成を採用することもできる。この場合、制御部７は、角速度ωおよび実質傾斜角度θｅの少なくとも一方が基準値Ｓ以上のときに、光源部３１を制御して光源部３１を消灯させて白色光Ｌ１の発光を停止させることにより、投射光Ｌ２の投射を停止させる。この構成によれば、光源部３１に対する電源供給制御等の簡易な制御で投射光Ｌ２の投射を確実に停止させることができるため、プロジェクタを簡易に構成することができる。
【００３０】
また、投射レンズ３３の開口部側にシャッタ４を配設した例について上記したが、光源部３１と光変調素子３２との間にシャッタ４を配設する構成や、光変調素子３２と投射レンズ３３との間にシャッタ４を配設する構成を採用することもできる。
【００３１】
さらに、検出傾斜角度θｄから初期傾斜角度θｆを差し引いた実質傾斜角度θｅが傾斜角度基準値Ｓθ以上のときに、制御部７が投射光Ｌ２の投射を停止させる構成について説明したが、検出傾斜角度θｄが傾斜角度基準値Ｓθ以上のときに、制御部７が投射光Ｌ２の投射を停止させる構成を採用することもできる。
【００３２】
次に、本発明に係るプロジェクタの他の構成例としてのプロジェクタ１ｂ（以下、プロジェクタ１ａとプロジェクタ１ｂとを区別しないときには「プロジェクタ１」ともいう）について、図面を参照して説明する。なお、プロジェクタ１ｂは、図６に示すように、シャッタ４が省略されている点を除いて上記したプロジェクタ１ａと同等に構成されている。したがって、プロジェクタ１ａと同じ構成要素については同じ符号を付して、重複する説明を省略する。このプロジェクタ１ｂでは、制御部７が、角速度ωおよび実質傾斜角度θｅの少なくとも一方が基準値Ｓ以上のときに、光学エンジン３を制御して投射光Ｌ２の光量を低下させる。
【００３３】
具体的には、制御部７は、上記した操作部５のモード切替キーに対応する操作信号Ｓ４が出力された際に、その操作信号Ｓ４に従い、上記した投射停止処理５０と同様の光量低下処理６０（図７参照）を実行する。この場合、制御部７は、同図および図５に示すように、光量低下処理６０のステップ６１〜６４において、上記した投射停止処理５０のステップ５１〜５４と同様の処理を実行する。したがって、投射停止処理５０と同じ処理内容については、重複する説明を省略する。この光量低下処理６０では、制御部７は、ステップ６４において角速度ωおよび実質傾斜角度θｅの少なくとも一方が基準値Ｓ以上と判別したときには、光学エンジン３の光源部３１に対する電源供給を制御して、光源部３１の輝度を低下させる（ステップ６５）。この際に、光源部３１の輝度の低下に伴って光源部３１から射出される白色光Ｌ１の光量が低下されるため、光変調素子３２によって光変調される投射光Ｌ２の光量が低下される。したがって、装置本体１０が急激に傾動させられたり、大きく傾動させられたりしたとしてもスクリーン１００以外の場所に向けて投射光が投射される以前に投射光の光量が低下されるため、スクリーン１００以外の位置に存在する観賞者等に対して大光量の投射光が投射されるような不都合が確実に防止される。
【００３４】
次に、投射光Ｌ２の光量を光量低下処理６０の実行前の光量に復元させるときには、上記した操作部５の再開キーを操作する。この際に、操作部５が再開キーに対応する操作信号Ｓ４を出力し、これに応じて、制御部７が復元処理を実行する。この復元処理では、制御部７は、光源部３１に対する電源供給を制御して、光源部３１の輝度を光量低下処理６０の実行前の輝度に上昇させる。この際に、光源部３１の輝度の上昇に伴って光源部３１から射出される白色光Ｌ１の光量が上昇するため、光変調素子３２によって光変調される投射光Ｌ２の光量が光量低下処理６０の実行前の光量に復元されて、画像の表示が再開される。
【００３５】
このように、このプロジェクタ１ｂによれば、傾動時における装置本体１０の角速度ωおよび実質傾斜角度θｅの少なくとも一方が基準値Ｓ以上のときに、制御部７が投射光Ｌ２の光量を低下させることにより、例えば、スクリーンに向けて投射光Ｌ２を投射している状態の装置本体１０（プロジェクタ１ｂ）に対する物の衝突や、装置本体１０が載置されている載置台の揺れによって装置本体１０が急激に傾動させられたり大きく傾動させられたりしたとしても、スクリーン１００以外の場所に向けて大光量の投射光Ｌ２が投射される以前に投射光Ｌ２の光量を低下させることができる。したがって、このプロジェクタ１ｂによれば、上記のような予期しない装置本体１０の傾動に起因して、例えば、スクリーン１００以外の位置に存在する観賞者等に対して大光量の投射光Ｌ２が投射されるような不都合を確実に解消することができる。
【００３６】
また、このプロジェクタ１ｂによれば、制御部７が光量低下処理として光源部３１を制御して光源部３１の輝度を低下させることにより、光源部３１に対する電源供給制御等の簡易な制御で投射光Ｌ２の光量を確実に低下させることができる結果、プロジェクタ１ｂを簡易に構成することができる。また、この構成によれば、光量低下処理時における光源部３１の消費電力を低減させることができる。
【００３７】
なお、本発明は、上記の構成に限定されない。例えば、制御部７が光量低下処理として光源部３１の輝度を低下させる構成について説明したが、本発明はこれに限定されない。例えば、制御部７が光量低下処理として光学エンジン３を制御して白色光Ｌ１を暗色の投射光Ｌ２に光変調させる構成を採用することもできる。この場合、制御部７は、角速度ωおよび実質傾斜角度θｅの少なくとも一方が基準値Ｓ以上のときに、画像処理部２を制御して、表示用画像データＤ１に代えて、光量低下用のデータ（例えば暗色のデータ）を光源部３１の光変調素子３２に出力させる。この際に、光変調素子３２は、光源部３１から射出される白色光Ｌ１を光量低下用のデータに基づいて暗色の投射光Ｌ２に光変調する。これにより、表示用画像データＤ１に基づいて光変調された大光量の投射光Ｌ２に代えて、暗色の投射光Ｌ２が投射されることで、投射光Ｌ２の光量が低下される。
【００３８】
この構成においても、装置本体１０が急激に傾動させられたり大きく傾動させられたりしたとしても、スクリーン１００以外の場所に向けて大光量の投射光Ｌ２が投射される以前に投射光Ｌ２の光量を低下させることができる。したがって、この構成においても、プロジェクタ１ｂと同様にして、上記のような予期しない装置本体１０の傾動に起因する不都合を確実に解消することができる。
【００３９】
また、角速度センサ６ａによる角速度ωの検出、および傾きセンサ６ｂによる検出傾斜角度θｄの検出に代えて、撮像装置を用いて角速度ωおよび検出傾斜角度θｄを検出する構成を採用することもできる。具体的には、テストパターン用の投射光Ｌ２を投射させてスクリーン１００にテストパターンを表示させると共に、装置本体１０に配設した撮像装置を制御してそのテストパターンを撮像させる。また、制御部７が、その撮像画像の変化を解析処理することによってスクリーン１００の表面と投射光Ｌ２の光軸とのなす角度の変化を検出して、その角度の変化に基づいてプロジェクタ１の角速度ωや検出傾斜角度θｄを特定する。この構成においても、上記したプロジェクタ１ａやプロジェクタ１ｂと同様にして、上記のような予期しない装置本体１０の傾動に起因する不都合を確実に解消することができる。
【図面の簡単な説明】
【００４０】
【図１】プロジェクタ１ａの構成を示すブロック図である。
【図２】投射レンズ３３の開口部側から見たプロジェクタ１ａの正面図である。
【図３】初期状態におけるプロジェクタ１の側面図である。
【図４】傾動させられた状態におけるプロジェクタ１の側面図である。
【図５】投射停止処理５０のフローチャートである。
【図６】プロジェクタ１ｂの構成を示すブロック図である。
【図７】光量低下処理６０のフローチャートである。
【符号の説明】
【００４１】
１ａ，１ｂ  プロジェクタ、３  光学エンジン、４  シャッタ、６ａ  角速度センサ、６ｂ  傾きセンサ、７  制御部、１０  装置本体、３１  光源部、３２  光変調素子、５０  投射停止処理、６０  光量低下処理、Ｌ１  白色光、Ｌ２  投射光、Ｓω  角速度基準値、Ｓθ  傾斜角度基準値、Ｓ  基準値、ω  角速度、θｅ  実質傾斜角度
【図１】
2007219225.tif 000003
【図２】
2007219225.tif 000004
【図３】
2007219225.tif 000005
【図４】
2007219225.tif 000006
【図５】
2007219225.tif 000007
【図６】
2007219225.tif 000008
【図７】
2007219225.tif 000009